(57)【要約】【目的】内部の挿通部に配線を挿通させることができる段差スロープに対応することができる段差解消スロープ用エンドカバーとする。【構成】室内の段差Ｄに取り付けられて段差Ｄを解消する傾斜面２２２を有し、内部に配線３００を挿通可能な挿通部２３０を有する段差スロープ２００の端部をカバーする段差解消スロープ用エンドカバーであって、平面視略扇形状に形成されており、底面に前記挿通部２３０と連通する凹部１１０Ａが形成されているとともに、表面が前記傾斜面２２２と面一になるテーパ面２２０Ａとして形成されている。【選択図】      図１
2004263403.tif 000002
【特許請求の範囲】
【請求項１】
室内の段差に取り付けられて段差を解消する傾斜面を有し、内部に配線を挿通可能な挿通部を有する段差スロープの端部をカバーする段差解消スロープ用エンドカバーにおいて、平面視略扇形状に形成されており、底面に前記挿通部と連通する凹部が形成されているとともに、表面が前記傾斜面と面一になるテーパ面として形成されていることを特徴とする段差解消スロープ用エンドカバー。
【請求項２】
室内の段差に取り付けられて段差を解消する傾斜面を有し、内部に配線を挿通可能な挿通部を有する段差スロープの端部をカバーする段差解消スロープ用エンドカバーにおいて、平面視略円形状に形成されており、底面に前記挿通部と連通する凹部が形成されているとともに、表面が前記傾斜面と面一になるテーパ面として形成されていることを特徴とする段差解消スロープ用エンドカバー。
【請求項３】
前記凹部は、前記表面の裏面側から突設され、床面に接する中央側支持部と、前記表面の裏面側から突設され、床面に接する周辺側支持部との間に設けられていることを特徴とする請求項１又は２記載の段差解消スロープ用エンドカバー。
【請求項４】
前記段差解消スロープ用エンドカバーの扇形の角の角度は、１８０°以下であることを特徴とする請求項１又は３記載の段差解消スロープ用エンドカバー。
【請求項５】
前記周辺側支持部には、表面にまでは達しない周辺側切込溝が形成されていることを特徴とする請求項１、２、３又は４記載の段差解消スロープ用エンドカバー。
【請求項６】
前記中央側支持部には、前記周辺側切込溝と同一直線上に位置し、表面にまでは達しない複数の中央側切込溝が形成されていることを特徴とする請求項５記載の段差解消スロープ用エンドカバー。
【発明の詳細な説明】
【０００１】
【発明の属する技術分野】
本発明は、室内の段差に取り付けられて段差を解消する傾斜面を有し、内部に配線を挿通可能な挿通部を有する段差解消スロープの端部をカバーする段差解消スロープ用エンドカバーに関する。
【０００２】
【従来の技術】
例えば、洋室と和室との境には、和室の畳の厚さに相当する段差がある。この段差は、摺足で歩きがちな老人や車椅子を使用する身障者にとっては邪魔になるものであった。
【０００３】
そこで、ゴムや合成樹脂製の段差解消スロープが用いられている。この段差解消スロープは、床面に接する底面部と、段差に接する垂直部と、底面部と垂直部との間に位置する傾斜部とを有しており、側面視略直角三角形状に形成されている。
【０００４】
かかる段差解消スロープの終端部が露出したままであると、特に摺足で歩きがちな老人が足の指先をぶつけて怪我をするおそれがある。このため、段差解消スロープの終端部をカバーするものとして、特開２００１−３１７１７０号公報（特許文献１）に記載の底面が二等辺三角形状の端部基材が提案されている。
【０００５】
ところで、近年のコンピュータをはじめとする電化製品の普及により、家庭内においても、数多くの配線が用いられている。上述した段差解消スロープは、かかる配線のことをまったく考慮に入れておらず、内部に配線を挿通させる構造になっていない。
【０００６】
【特許文献１】
特開２００１−３１７１７０号公報（第２頁  図６）
【０００７】
【発明が解決しようとする課題】
ところで、本願出願人は、以前に内部に配線を挿通させることができる段差スロープを開発した。しかし、この段差スロープに特許文献１記載の端部基材を用いても、段差スロープに挿通された配線を外部に引き出す場合には対応することができない。
【０００８】
本発明は、上記事情に鑑みて創案されたもので、内部の挿通部に配線を挿通させることができる段差スロープに対応することができる段差解消スロープ用エンドカバーを提供することを目的としている。
【０００９】
【課題を解決するための手段】
本発明に係る段差解消スロープ用エンドカバーは、室内の段差に取り付けられて段差を解消する傾斜面を有し、内部に配線を挿通可能な挿通部を有する段差スロープの端部をカバーする段差解消スロープ用エンドカバーであって、平面視略扇形状に形成されており、底面に前記挿通部と連通する凹部が形成されているとともに、表面が前記傾斜面と面一になるテーパ面として形成されている。
【００１０】
【発明の実施の形態】
図１は本発明の第１の実施の形態に係る段差解消スロープ用エンドカバーの図面であって、同図（Ａ）は概略的平面図、同図（Ｂ）は概略的側面図、同図（Ｃ）は概略的底面図、図２は本発明の第１の実施の形態に係る段差解消スロープ用エンドカバーの使用状態を示す概略的平面図、図３は本発明の第１の実施の形態に係る段差解消スロープ用エンドカバーの使用状態を示す概略的平面図、図４は本発明の第１の実施の形態に係る段差解消スロープ用エンドカバーの使用状態を示す概略的平面図、図５は本発明の第１の実施の形態に係る段差解消スロープ用エンドカバーの異なった使用状態を示す概略的斜視図である。
【００１１】
また、図６は本発明の第２の実施の形態に係る段差解消スロープ用エンドカバーの図面であって、同図（Ａ）は概略的平面図、同図（Ｂ）は概略的側面図、同図（Ｃ）は概略的底面図、図７は本発明の第２の実施の形態に係る段差解消スロープ用エンドカバーの使用状態を示す概略的平面図、図８は本発明の第２の実施の形態に係る段差解消スロープ用エンドカバーの他の使用状態を示す概略的平面図、図９は本発明の第３の実施の形態に係る段差解消スロープ用エンドカバーの図面であって、同図（Ａ）は概略的平面図、同図（Ｂ）は概略的底面図である。
【００１２】
さらに、図１０は本発明のすべての実施の形態に係る段差解消スロープ用エンドカバーが取り付けられる傾斜スロープの概略的斜視図、図１１は本発明のすべての実施の形態に係る段差解消スロープ用エンドカバーが取り付けられる傾斜スロープの概略的断面図である。
【００１３】
本発明の第１の実施の形態に係る段差解消スロープ用エンドカバー１００Ａは、図１０及び図１１に示すように、室内の段差Ｄに取り付けられて段差Ｄを解消する傾斜面２２２を有し、内部に配線３００を挿通可能な挿通部２３０を有する段差スロープ２００の端部をカバーする段差解消スロープ用エンドカバーであって、平面視略扇形状に形成されており、底面に前記挿通部２３０と連通する凹部１１０Ａが形成されているとともに、表面が前記傾斜面２２２と面一になるテーパ面１２０Ａとして形成されている。
【００１４】
室内の段差Ｄには、例えば洋室Ｗと和室Ｊとの境目にある畳の高さ分の段差や、扉の枠下端縁等の段差がある。かかる段差Ｄは、図１０及び図１１に示すような段差スロープ２００の端部において使用されるものである。なお、以下の説明では、洋室Ｗと和室Ｊとの間の段差Ｄを解消するものとするが、他の室内の段差にも有効なことはいうまでもない。
【００１５】
前記段差スロープ２００は、図１０及び図１１に示すように、洋室Ｗの床面Ｆ１に取り付けられるベース部２１０と、このベース部２１０に取り付けられるカバー部２２０とから構成されている。
【００１６】
前記ベース部２１０は、洋室Ｗの床面Ｆ１に接触する底面部２１１と、この底面部２１１の一端側から垂直方向に立ち上がる垂直部２１２と、前記底面部２１１の他端側から立ち上がり、斜面２１３Ａをもってカバー部２２０の傾斜面２２２の裏面に接する支持部２１３とが一体に形成された長尺物である。かかるベース部２１０は、合成樹脂や金属等から構成されている。
【００１７】
前記底面部２１１と垂直部２１２とは、直角に交わるのではなく、傾斜して交わっている。従って、このベース部２１０は、前記床面Ｆ１に取り付けると、図１０に示すように、底面部２１１と垂直部２１２とが交わる部分に空間Ｋが生じる。この空間Ｋは、例えば、洋室Ｗと和室Ｊとの間のにある段差Ｄの部分が正確に直角ではなく、アール状になっていた場合や、洋室Ｗに敷かれているカーペット等の端部に若干のめくれがあった場合に、そのアール状になった部分やめくれた部分がベース部２１０の床面Ｆ１への取り付けを阻害することを防止するためのものである。
【００１８】
また、前記垂直部２１２の上端縁には、内側に向かって凹んだ係止部２１２Ａが設けられている。この垂直部２１２の高さ寸法は、解消すべき前記段差Ｄの高さ寸法より若干程度低く設定されている。
【００１９】
一方、前記支持部２１３は、ベース部２１０に取り付けられたカバー部２２０を下方から支持する部分であって、後述するカバー部２１０の傾斜面２２２の裏面に接する斜面２１３Ａが形成されている。また、この斜面２１３Ａの内側端部には、前記斜面２１３Ａと面一の庇部２１３Ｂが若干突出形成されている。さらに、前記支持部２１３の外側端部から若干内側に入った箇所には、下方に垂下された垂下リブ２１３Ｃが形成されている。この垂下リブ２１３Ｃは、先端が底面部２１１の裏面と同一レベルにまで垂下されている。従って、このベース部２１０を床面Ｆ１に取り付けた場合には、床面Ｆ１には、底面部２１１及び垂下リブ２１３Ｃが接するようになっているのである。
【００２０】
かかるベース部２１０に取り付けられるカバー部２２０は、図１０及び図１１に示すように、両端が略Ｕ字形状に湾曲されて係合部２２１となった長尺状の板体である。かかるカバー部２２０は、前記ベース部２１１と同様に合成樹脂や金属等から構成されている。
【００２１】
前記係合部２２１は、前記ベース部２１０の係止部２１２Ａ及び他端の庇部２１３Ｂに係合することで、カバー部２２０をベース部２１０に固定的に取り付ける作用を果たしている。
【００２２】
また、このカバー部２２０は、傾斜面２２２である表面に数条（図面では５条）の突脈２２２Ａが形成されている。この突脈２２２Ａは、例えば車椅子が段差スロープ２００に乗った際の滑り止めを行うものである。さらに、１つの突脈２２２Ａ（図面では中央の突脈２２２Ａ）は、蓄光樹脂を埋め込み成形することで形成されている。従って、夜間であっても、蓄光樹脂で形成された突脈２２２Ａが発光するので安全である。
【００２３】
このようなベース部２１０とカバー部２２０とから構成された段差スロープ２００は、カバー部２２０をベース部２１０に取り付けると、両者の間に空間が形成される。この空間は、内部に電源配線やコンピュータケーブル等の配線３００を挿通可能な挿通部２３０となっている。そして、カバー部２２０は、一端が洋室Ｗの床面Ｆ１に、他端が段差Ｄの最上部である和室Ｊの床面Ｆ２にそれぞれ接し、スロープを形成する。
【００２４】
本発明の第１の実施の形態に係る段差解消スロープ用エンドカバー１００Ａは、上述したような段差スロープ２００の端部に取り付けられるものである。かかる段差解消スロープ用エンドカバー１００Ａは、段差スロープ２００が合成樹脂で形成されている場合には同様の合成樹脂で、金属で形成されている場合には同様の金属で形成されていることがデザインの面からも望ましい。
【００２５】
この段差解消スロープ用エンドカバー１００Ａは、扇形の角の角度が９０°になった平面視略扇形状に形成されており、底面に前記段差スロープ２００の挿通部２３０と連通する凹部１１０Ａが形成されているとともに、表面が前記段差スロープ２００の傾斜面２２２（カバー部２２０の表面）と面一になるテーパ面１２０Ａとして形成されている。
【００２６】
前記テーパ面１２０Ａの表面には、この段差解消スロープ用エンドカバー１００Ａを段差スロープ２００の端部に取り付けた場合、カバー部２２０の突脈２２２Ａと連なる数条（図面では５条）の突脈１２１Ａが同心円弧状に設けられている。また、この突脈１２１Ａのうち、中央の突脈１２１Ａは、前記カバー部２２０の突脈２２２Ａと同様に蓄光樹脂で形成されている。
【００２７】
かかる段差解消スロープ用エンドカバー１００Ａの裏面側に設けられた凹部１１０Ａは、前記表面のテーパ面１２０Ａの裏面側から突設され、床面Ｆ１に接する中央側支持部１３０Ａと、前記表面のテーパ面１２０Ａの裏面側から突設され、床面Ｆ１に接する周辺側支持部１４０Ａとの間に設けられている。すなわち、テーパ面１２０Ａの裏面側から中央側支持部１３０Ａと周辺側支持部１４０Ａとが突設されているため、なにも突設されていない部分が凹部１１０Ａとなるのである。
【００２８】
前記中央側支持部１３０Ａの底面からその真上のテーパ面１２０Ａの表面までの高さ寸法は、傾斜スロープ２００の最も高い部分、ベース部２１０の垂直部２１２と取り付けられたカバー部２２０の厚さ寸法との和に等しく設定されている。また、周辺側支持部１４０Ａの底面からその真上のテーパ面１２０Ａの表面までの高さ寸法は、傾斜スロープ２００のベース部２１０の支持部２１３と取り付けられたカバー部２２０の厚さ寸法との和に等しく設定されている。
【００２９】
さらに、段差解消スロープ用エンドカバー１００Ａのテーパ面１２０Ａは、段差スロープ２００の縁部に取り付けられた状態で、カバー部２２０の表面と面一になっている。
【００３０】
一方、前記周辺側支持部１４０Ａの両端部近傍には、テーパ面１２０Ａである表面までには達しない周辺側切込溝１４２Ａが形成されている。この周辺側切込溝１４２Ａは、段差スロープ２００の挿通部２３０に配線３００が挿通されている場合、図３に示すように、その配線３００を外部に取り出すための開口１５０Ａを形成する際に、周辺側支持部１４０Ａの一部をカットする際に利用される部分である。
【００３１】
すなわち、前記開口１５０Ａを形成するためには、周辺側支持部１４１Ａの一部をカットして、凹部１１０Ａを外部と連通させる必要がある。ここで、前記周辺側切込溝１４２Ａが存在しないと、比較的厚い周辺側支持部１４０Ａ自身をカットする必要が生じ、作業が困難になる。しかし、周辺側切込溝１４２Ａを設けておくことにより、前記カットの作業が容易になるのである。
【００３２】
前記開口１５０Ａが必要ない場合には、前記カット作業を行わず、図２に示すように、そのままの状態で段差解消スロープ用エンドカバー１００Ａを段差スロープ２００の端部に取り付けるが、周辺側切込溝１４２Ａはその状態では外部から視認することができないので、特にデザイン上の問題は生じない。
【００３３】
また、中央側支持部１３０Ａ及び周辺側支持部１４０Ａの下端縁部は面取り加工が施されて、斜め面１３２Ａ、１４２Ａとなっている。この斜め面１３２Ａ、１４２Ａは、前記段差スロープ２００における底面部２１１と垂直部２１２とが傾斜して交わっているのと同じ理由から設けられている。すなわち、例えば、洋室Ｗと和室Ｊとの間のにある段差Ｄの部分が正確に直角ではなく、アール状になっていた場合や、洋室Ｗに敷かれているカーペット等の端部に若干のめくれがあった場合に、そのアール状になった部分やめくれた部分が段差解消スロープ用エンドカバー１００Ａの床面Ｆ１への取り付けを阻害することを防止するためのものである。
【００３４】
また、段差Ｄと段差Ｄとが、図４に示すように直角に交わっている場合にも、この第１の実施の形態に係る段差解消スロープ用エンドカバー１００Ａを用いることができる。すなわち、一方の段差Ｄの縁部まで一方の段差スロープ２００を配置するとともに、他方の段差Ｄの縁部まで他方の段差スロープ２００を配置した場合、両段差スロープ２００の間に段差解消スロープ用エンドカバー１００Ａを配置するのである。この場合、段差スロープ２００の挿通部２３０に配線３００が挿通されていても、配線３００は外部に導出する必要がなければ、前記開口１５０Ａに相当するものを設ける必要はない。
【００３５】
なお、この段差解消スロープ用エンドカバー１００Ａは、上述したように、１本の段差スロープ２００の端部に取り付けたり、２本の段差スロープ２００の間を接続したりするのみならず、図５に示すような使用のしかたもある。すなわち、段差解消スロープ用エンドカバー１００Ａを部屋の隅部、すなわち２つの壁面Ｗ１、Ｗ２と１つの床面Ｆとが互いに直交した状態で交わる隅部に設置することにより、３つの面が交わることによって構成される隅部をなくすのである。このようにすることによって、部屋の隅部がなくなって部屋の雰囲気を柔らかいものにすることができる。また、部屋の隅部は塵芥の溜まりやすい部分であるとともに、一般の電気掃除機では掃除しにくい箇所であるが、このように隅部に段差解消スロープ用エンドカバー１００Ａを設置することによって隅部をなしく、もって塵芥が溜まりにくく、また一般の電気掃除機よる掃除をし易くするという効果も期待しうる。
【００３６】
上述した本発明の第１の実施の形態に係る段差解消スロープ用エンドカバー１００Ａでは、扇形の角の角度が９０°であるとしたが、図６に示すように、１８０°とすることも可能である。すなわち、単に直線状の段差Ｄの場合や、段差Ｄと段差Ｄとが直角に交わっている場合ならば、第１の実施の形態に係る段差解消スロープ用エンドカバー１００Ａでもよいのであるが、図７に示すように、段差Ｄと段差Ｄとが鋭角に交わっている場合には、この段差解消スロープ用エンドカバー１００Ｂを用いるのである。
【００３７】
この第２の実施の形態に係る段差解消スロープ用エンドカバー１００Ｂは、図６に示すように、平面視略半円状に形成されており、室内の段差Ｄに取り付けられて段差Ｄを解消する傾斜面２２２を有し、内部に配線３００を挿通可能な挿通部２３０を有する２本の段差スロープ２００を連結する段差解消スロープ用エンドカバーであって、底面に前記挿通部２３０と連通する凹部１１０Ｂが形成されているとともに、表面が前記傾斜面２２２と面一になるテーパ面１２０Ｂとして形成されており、前記凹部１１０Ｂは、前記表面であるテーパ面１２０Ｂの裏面側から突設され、床面Ｆ１に接する中央側支持部１３０Ｂと、前記表面であるテーパ面１２０Ｂの裏面側から突設され、床面Ｆ１に接する周辺側支持部１４０Ｂとの間に設けられており、前記周辺側支持部１４０Ｂには、表面であるテーパ面１２０Ｂにまでは達しない複数の周辺側切込溝１４２Ｂが放射状に形成されており、前記中央側支持部１３０Ｂには、前記周辺側切込溝１４２Ｂと同一直線上に位置し、表面であるテーパ面１２０Ｂにまでは達しない複数の中央側切込溝１３２Ｂが形成されている。
【００３８】
前記テーパ面１２０Ｂは、中心部、すなわち中央側支持部１３０Ｂのある位置が最も高く、周縁部が最も低くなっている。なお、最も高い位置の高さ寸法は、傾斜スロープ２００の最も高い部分、すなわちベース部２１０の垂直部２１２と取り付けられたカバー部２２０の厚さ寸法との和に等しく設定されている。また、周辺側支持部１４０Ｂの底面からその真上のテーパ面１２０Ｂの表面までの高さ寸法は、傾斜スロープ２００のベース部２１０の支持部２１３と取り付けられたカバー部２２０の厚さ寸法との和に等しく設定されている。
【００３９】
かかる段差解消スロープ用エンドカバー１００Ｂの裏面側に設けられた凹部１１０Ｂは、前記表面のテーパ面１２０Ｂの裏面側から突設され、床面Ｆ１に接する中央側支持部１３０Ｂと、前記表面のテーパ面１２０Ｂの裏面側から突設され、床面Ｆ１に接する周辺側支持部１４０Ｂとの間に設けられている。すなわち、テーパ面１２０Ｂの裏面側から中央側支持部１３０Ｂと周辺側支持部１４０Ｂとが突設されているため、なにも突設されていない部分が凹部１１０Ｂとなるのである。
【００４０】
この段差解消スロープ用エンドカバー１００Ｂの特徴的な部分は、平面視略半円状である点と、周辺側支持部１４０Ｂ及び中央側支持部１３０Ｂにそれぞれ周辺側切込溝１４２Ｂ及び中央側切込溝１３２Ｂが３０°毎に放射状に形成されている点とである。
【００４１】
周辺側切込溝１４２Ｂ及び中央側切込溝１３２Ｂは、段差Ｄと段差Ｄとの交差角度、すなわち２つの段差スロープ２００の交差角度に応じて、段差解消スロープ用エンドカバー１００Ｂをカットする際の目安及びカット作業の容易性のためのものである。従って、中央側切込溝１３２Ｂは、周辺側切込溝１４１Ｂより深く設定されている。
【００４２】
なお、上述した第２の実施の形態では、周辺側切込溝１４２Ｂ及び中央側切込溝１３２Ｂは３０°毎に形成されているとしたが、この角度が３０°に限定されるものでないことはいうまでもない。
【００４３】
さらに、２本の段差スロープ２００が図８に示すように、平行かつ隣接して設けられている場合にも、２本の段差スロープ２００の端部をつなぐために、前記段差解消スロープ用エンドカバー１００Ｂを用いることができる。この場合には、前記周辺側切込溝１４２Ｂ及び中央側切込溝１３２Ｂをカットする作業は不要となる。
【００４４】
また、本発明の第３の実施の形態に係る段差解消スロープ用エンドカバー１００Ｃは、図９に示すように、平面視略円形に形成されている。すなわち、第２の実施の形態に係る段差解消スロープ用エンドカバー１００Ｂを２つ合わせたのと同等の状態になっているのである。
【００４５】
このように構成すると、使用者が必要に応じてカットして使用することが可能となる。この場合には、周辺側支持部１４０Ｃに形成される周辺側切込溝１４２Ｃと、中央側支持部１３０Ｃに形成される中央側切込溝１３２Ｃとが中央側支持部１３０Ｃの中心を基点として放射状に形成する。また、この周辺側切込溝１４２Ｃは、第１の実施の形態に係る段差解消スロープ用エンドカバー１００Ａのように１本の段差スロープ２００の端部に取り付けられ、凹部１１０Ｃに挿通された電線３００を外部に引き出す場合の開口用としても利用することができる。
【００４６】
【発明の効果】
本発明に係る段差解消スロープ用エンドカバーは、室内の段差に取り付けられて段差を解消する傾斜面を有し、内部に配線を挿通可能な挿通部を有する段差スロープの端部をカバーする段差解消スロープ用エンドカバーであって、平面視略扇形状に形成されており、底面に前記挿通部と連通する凹部が形成されているとともに、表面が前記傾斜面と面一になるテーパ面として形成されている。
【００４７】
従って、この段差解消スロープ用エンドカバーを段差スロープの端部に取り付けてカバーすると、段差スロープの端部が覆い隠されるので、足の指をぶつける事故を防止することができる。また、段差スロープに形成された挿通部に塵芥が入り込むことがない。さらに、段差スロープに形成された挿通部に挿通された配線を隠すことができる。
【００４８】
また、他の段差解消スロープ用エンドカバーは、室内の段差に取り付けられて段差を解消する傾斜面を有し、内部に配線を挿通可能な挿通部を有する段差スロープの端部をカバーする段差解消スロープ用エンドカバーであって、平面視略円形状に形成されており、底面に前記挿通部と連通する凹部が形成されているとともに、表面が前記傾斜面と面一になるテーパ面として形成されている。
【００４９】
かかる段差解消スロープ用エンドカバーであると、使用者が段差と段差とが交差する角度や、２本の傾斜スロープが交差する角度等に応じて自由にカットして使用することができるので大変便利である。
【００５０】
また、前記凹部は、前記表面の裏面側から突設され、床面に接する中央側支持部と、前記表面の裏面側から突設され、床面に接する周辺側支持部との間に設けられている。
【００５１】
かかる構成であると、段差解消スロープ用エンドカバーの上に荷重が加えられても、凹部の凹みはそれほどでもないので、凹部に挿通された配線を十分保護することが可能である。
【００５２】
また、前記段差解消スロープ用エンドカバーの扇形の角の角度は、１８０°以下であると、段差と段差とが鋭角に交わった場合に対応することができる。
【００５３】
特に、前記周辺側支持部に、表面にまでは達しない周辺側切込溝が形成されていると、段差と段差との交差角が段差解消スロープ用エンドカバーのそのままでは対応できない場合にも使用者が簡単に段差解消スロープ用エンドカバーをカットして対応させることかできるので便利である。
【００５４】
また、前記中央側支持部に、前記周辺側切込溝と同一直線上に位置し、表面にまでは達しない複数の中央側切込溝が形成されていると、周辺側支持部より厚く形成されている中央側支持部のカットも簡単にできるという効果がある。
【図面の簡単な説明】
【図１】本発明の第１の実施の形態に係る段差解消スロープ用エンドカバーの図面であって、同図（Ａ）は概略的平面図、同図（Ｂ）は概略的側面図、同図（Ｃ）は概略的底面図である。
【図２】本発明の第１の実施の形態に係る段差解消スロープ用エンドカバーの使用状態を示す概略的平面図である。
【図３】本発明の第１の実施の形態に係る段差解消スロープ用エンドカバーの使用状態を示す概略的平面図である。
【図４】本発明の第１の実施の形態に係る段差解消スロープ用エンドカバーの使用状態を示す概略的平面図である。
【図５】本発明の第１の実施の形態に係る段差解消スロープ用エンドカバーの異なった使用状態を示す概略的斜視図である。
【図６】本発明の第２の実施の形態に係る段差解消スロープ用エンドカバーの図面であって、同図（Ａ）は概略的平面図、同図（Ｂ）は概略的側面図、同図（Ｃ）は概略的底面図である。
【図７】本発明の第２の実施の形態に係る段差解消スロープ用エンドカバーの使用状態を示す概略的平面図である。
【図８】本発明の第２の実施の形態に係る段差解消スロープ用エンドカバーの他の使用状態を示す概略的平面図である。
【図９】本発明の第３の実施の形態に係る段差解消スロープ用エンドカバーの図面であって、同図（Ａ）は概略的平面図、同図（Ｂ）は概略的底面図である。
【図１０】本発明のすべての実施の形態に係る段差解消スロープ用エンドカバーが取り付けられる傾斜スロープの概略的斜視図である。
【図１１】本発明のすべての実施の形態に係る段差解消スロープ用エンドカバーが取り付けられる傾斜スロープの概略的断面図である。
【符号の説明】
１００Ａ  段差解消スロープ用エンドカバー
１１０Ａ  凹部
１２０Ａ  テーパ面
１３０Ａ  中央側支持部
１４０Ａ  周辺側支持部
２００    段差スロープ
【図１】
2004263403.tif 000003
【図２】
2004263403.tif 000004
【図３】
2004263403.tif 000005
【図４】
2004263403.tif 000006
【図５】
2004263403.tif 000007
【図６】
2004263403.tif 000008
【図７】
2004263403.tif 000009
【図８】
2004263403.tif 000010
【図９】
2004263403.tif 000011
【図１０】
2004263403.tif 000012
【図１１】
2004263403.tif 000013